(57)【要約】  本発明の一実施例が、アナログラジオ信号及びデジタルラジオ信号を同時に受け取ることのできるシステムにおいて演算効率を高めるための方法を提供する。１つのチューナーがアナログ周波数にチューニングされ（８０２）、この時間の間ラジオの出力のソースはアナログである。デジタルラジオ信号が取得され（８０８）、デジタルラジオ信号の質が上側閾値を上回る（８１０）とき、デジタルデータ経路がアクティブにされ（８１２）、アナログデータ経路がイナクティブにされる（８１４）。この時ラジオの出力のソースはデジタルである。デジタルラジオ信号の質はモニタリングされ続ける（８１６）。デジタルラジオ信号の質が下側閾値を下回って下がるとき、アナログデータ経路がアクティブにされ（８２０）、デジタルデータ経路がイナクティブにされる。この時間の間、ラジオの出力のソースはアナログである。
2014523153.tif 000002
【特許請求の範囲】
【請求項１】
アナログラジオ信号及びデジタルラジオ信号を同時に受け取ることのできるシステムにおける演算効率を高める方法であって、前記方法が、
少なくとも１つのチューナーをアナログ周波数にチューニングすること、
第１のアナログデータ経路をアクティブにすること、
前記デジタルラジオ信号が存在するか判定すること、
前記デジタルラジオ信号が存在するとき前記デジタルラジオ信号を取得すること、
前記デジタルラジオ信号の質が上側閾値を上回るとき、デジタルデータ経路をアクティブにすること及び第２のアナログデータ経路をイナクティブにすること、及び
前記デジタルラジオ信号の質が下側閾値を下回るとき、前記第２のアナログデータ経路をアクティブにすること及び前記デジタルデータ経路をイナクティブにすること、
を含む、方法。
【請求項２】
請求項１に記載の方法であって、前記少なくとも１つのチューナーをチューニングすることが、一次チューナー及び二次チューナーを前記アナログ周波数にチューニングすることを含む、方法。
【請求項３】
請求項２に記載の方法であって、前記第１のアナログデータ経路をアクティブにすることが、ＦＭダイバーシティ回路、アナログ復調器回路、及びラジオデータシステム（ＲＤＳ）復調器／デコーダー回路をアクティブにすることを含む、方法。
【請求項４】
請求項２に記載の方法であって、前記デジタルラジオ信号が存在するか判定することが、取得回路をアクティブにすることを含む、方法。
【請求項５】
請求項２に記載の方法であって、前記デジタルデータ経路をアクティブにすることが、ＨＤ復調器及びデジタルデコーダーをアクティブにすることを含む、方法。
【請求項６】
請求項２に記載の方法であって、前記第２のアナログデータ経路をイナクティブにすることが、走査ＦＭダイバーシティチューナー制御、ダイバーシティ回路、及びＲＤＳ復調器／デコーダーをイナクティブにすることを含む、方法。
【請求項７】
請求項２に記載の方法であって、前記第２のアナログデータ経路をアクティブにすることが、走査ＦＭダイバーシティチューナー制御回路、ダイバーシティ回路、及びＲＤＳ復調器／デコーダーをアクティブにすることを含む、方法。
【請求項８】
請求項１に記載の方法であって、デジタルラジオ信号の質が、ビット誤り率及びオーディオコーデックから報告されるエラーによって決まる、方法。
【請求項９】
請求項１に記載の方法であって、前記少なくとも１つのチューナーをチューニングすることが、１つのチューナーのみを前記第１のアナログ周波数にチューニングすることを含む、方法。
【請求項１０】
請求項９に記載の方法であって、前記デジタルラジオ信号を取得した後、符号化されたデジタルデータをストアすることを更に含む、方法。
【請求項１１】
請求項１０に記載の方法であって、前記デジタルデータ経路をアクティブにすることが、ＨＤ復調器及びデジタルデコーダをアクティブにすることを含む、方法。
【請求項１２】
請求項１１に記載の方法であって、前記デジタルデータ経路が、前記ストアされた符号化デジタルデータを入力として受け取る、方法。
【請求項１３】
請求項１１に記載の方法であって、前記デジタルデータ経路がリアルタイム符号化デジタルデータを入力として受け取る、方法。
【請求項１４】
請求項１に記載の方法であって、前記少なくとも１つのチューナーをチューニングすることが、一次チューナーを前記アナログ周波数にチューニングすること、及び二次チューナーをＤＡＢ（デジタルオーディオブロードキャスト）デジタル周波数にチューニングすることを含む、方法。
【請求項１５】
同時に放送され得るアナログラジオ及びデジタルラジオ信号の演算効率を高めるためのシステムであって、前記システムが、
少なくとも一つのチューナーと、
プログラマブルデジタルシグナルプロセッサ（ＤＳＰ）と、
を含み、
前記ＤＳＰがアナログデータ経路及びデジタルデータ経路を含み、
前記少なくとも１つのチューナーが第１のアナログ周波数にチューニングされ、
前記アナログデータ経路がアクティブにされ、
前記デジタルラジオ信号が存在するとき前記デジタルラジオ信号が取得され、
前記デジタルラジオ信号の質が上側閾値を上回るとき、前記デジタルデータ経路がアクティブにされ、前記アナログデータ経路がイナクティブにされ、
前記デジタルラジオ信号の質が下側閾値を下回るとき、前記アナログデータ経路がアクティブにされ、前記デジタルデータ経路がイナクティブにされる、
システム。
【請求項１６】
請求項１５に記載のシステムであって、前記少なくとも１つのチューナーが、アンテナ、局部発振器、ダウンコンバータ、フィルタ、及びアナログ・デジタルコンバータを含む、システム。
【請求項１７】
請求項１５に記載のシステムであって、前記システムが、ストレージ、出力デバイス、入力デバイス、及び任意選択のリターン経路を更に含む、システム。
【請求項１８】
請求項１７に記載のシステムであって、前記ストレージが、ＳＤＲＡＭ、コンパクトフラッシュドライブ、及びディスクドライブから成るグループから選択される、システム。
【請求項１９】
請求項１７に記載のシステムであって、前記入力デバイスが、音声入力、キーパッド、スクリーン、スマートカード、コンパクトフラッシュカード、及びブルートゥースリンクから成るグループから選択される、システム。
【請求項２０】
請求項１５に記載のシステムであって、前記ＤＳＰが単一の集積回路上に物理的に置かれる、システム。
【発明の詳細な説明】
【技術分野】
【０００１】
本願は、アナログ及びデジタルラジオ信号の同時受信のための方法及びシステムに関連する。
【背景技術】
【０００２】
デジタルラジオの出現、及び従来のアナログ及びデジタル放送間で共存する及び切り替えるための必要性により、従来のラジオに新しい要件が求められている。ＵＳ（米国）ＨＤ（ハイブリッドデジタル）ラジオ規格の現在の実装には、ＡＭ（振幅変調）／ＦＭ（周波数変調）アナログ処理が、完全なＨＤラジオ処理と並列に実行されることが必要である。欧州では、ＤＡＢ（デジタルオーディオブロードキャスト）デジタル放送から、別のＤＡＢ局での、又は信号ロスの場合にアナログＦＭ放送での、同じプログラムに切り替えることを可能とする要望がある。
【０００３】
ＨＤラジオは、元々「ハイブリッドデジタル」を意味し、オーディオ及びデータを、それらのアナログ信号に関連してデジタル信号を介して送信するためＡＭ及びＦＭラジオ局により用いられるｉＢｉｑｕｉｔｙの帯域内オンチャネル（ＩＢＯＣ）デジタルラジオ技術に対する商標である。ＨＤラジオは、米国のためのデジタルオーディオ放送方法として２００２年に米国連邦通信委員会（ＦＣＣ）により選択された。
【０００４】
ＨＤラジオは、同じチャネル（ハイブリッド化されたデジタル・アナログ信号）内のデジタル及びアナログオーディオ両方を同時放送するためだけでなく、新しいＦＭチャネル及びテキスト情報を付加するために、幾つかのＡＭ及びＦＭラジオ局により現在用いられている。２００９年５月時点で、世界中でＨＤラジオ技術を備えた無線での局が、任意の他のデジタルラジオ技術よりも多くあった。
【０００５】
デジタルオーディオブロードキャスティング（ＤＡＢ）は、特に、欧州において、幾つかの国において用いられる、ラジオ局を放送するためのデジタルラジオ技術である。従来はラジオプログラムはＦＭ及びＡＭを介して異なる周波数で放送されており、ラジオは各周波数にチューニングされる必要があった。これには、比較的少数の局に対し比較的大量のスペクトルを用いていた（低スペクトル効率）。
【０００６】
スペクトラル効率、スペクトル効率、又は帯域幅効率とは、特定の通信システムにおいて所与のスペクトル帯域幅（帯域幅は、周波数の近接するセットにおける上側周波数と下側周波数の間の差である）を介して送信され得る情報レートを指す。これは、制限された周波数スペクトルが、物理層プロトコルにより、及び時には媒体アクセス制御（チャネルアクセスプロトコル）により、どの程度効率的に用いられるかの尺度である。
【０００７】
ＤＡＢは、ＤＡＢアンサンブルと呼ばれる単一の放送周波数上に中心が置かれる比較的狭いスペクトル帯域に複数のオーディオストリームを組み合わせる多重化及び圧縮の適用を介するデジタルラジオ放送システムである。ＤＡＢアンサンブルは、単一のラジオ送信で多数のデジタルラジオチャネルを送信するＤＡＢ放送業者のグループである。各ラジオ局から供給されるデジタルオーディオは、レシーバによりデコードされるべき１つのデジタル送信に多重化される。各局は、異なるビットレート、及びモノラル又はステレオフォニック（オーディオの１つ又は２つのチャネル）のいずれかの放送、を用いることができるが、全ての局が正確に同じカバレッジエリアを有し得る。各アンサンブルは、或る最大総ビットレート、何らかの「ビットバジェット」、又は参加する放送業者がその中で機能しなければならない特定の量の帯域幅のみを有し得る。アンサンブルでの局の数の増大は、低下した品質オーディオを要し得、一方、高められるオーディオ品質は、オーディオチャネルを取り除くことを要し得る。
【０００８】
ＤＡＢは、放送アナログＦＭ通信よりも実質的に高い帯域幅を用いる。これは、特に、主要都市エリア外で、リスナーに利用可能な局の数の増加につながっている。ＤＡＢ放送は、約１５００キロヘルツ幅（〜１０００キロビット秒毎）である単一の局を放送する。ＦＭとは対照的に、ＨＤラジオは、旧来の２００キロヘルツ幅チャネルでそのデジタル放送を共有し、デジタル及びアナログ信号を４００ＫＨｚスペクトルにミキシングする。
【０００９】
ＲＤＳ（ラジオデータシステム）は、デジタル及びアナログ情報を同時に放送するための別の通信プロトコル規格である。ＲＤＳは、少ない量のデジタル情報を従来のＦＭラジオ放送に埋め込む。ＲＤＳシステムは、時間、局識別、及びプログラム情報を含む、幾つかのタイプの送信された情報を標準化する。また、ＲＤＳ情報は、同一のプログラムが或る市場において受け取られ得る交番周波数を含む。
【００１０】
デジタル及びアナログ信号の同時ラジオ放送は、大量の帯域幅を用い得、ソフトウェア定義されたレシーバ実装において、デジタルシグナルプロセッサの演算負荷も増大させる。放送デジタル及びアナログラジオ信号を同時にデコードするために用いられる演算負荷の量を低減することにより、一層多くの同時機能が所与のプロセッサで動作し得、又はよりパワフルでないプロセッサが、必要とされるラジオベースバンドデコーディングを達成することが可能となり得る。
【発明の概要】
【００１１】
同時に放送され得るアナログラジオ信号及びデジタルラジオ信号の演算効率を高めるためのシステムが開示される。
【００１２】
アナログラジオ信号及びデジタルラジオ信号を同時に受け取ることのできるシステムにおける演算効率を高めるための方法が開示される。
【００１３】
記載される一つの例示の方法が、少なくとも１つのチューナーをアナログ周波数にチューニングすること、第１のアナログデータ経路をアクティブにすること、デジタルラジオ信号が存在するか判定すること、デジタルラジオ信号が存在するときデジタルラジオ信号を取得すること、デジタルラジオ信号の質が上側閾値を上回るときデジタルデータ経路をアクティブにすること及び第２のアナログデータ経路をイナクティブにすること、及びデジタルラジオ信号の質が下側閾値を下回るとき第２のアナログデータ経路をアクティブにすること及びデジタルデータ経路をイナクティブにすることを含む。
【００１４】
記載される一つの例示のシステムが、少なくとも一つのチューナーと、プログラマブルデジタルシグナルプロセッサ（ＤＳＰ）とを含む。ＤＳＰは、アナログデータ経路及びデジタルデータ経路を含む。少なくとも１つのチューナーが第１のアナログ周波数にチューニングされ、アナログデータ経路がアクティブにされ、デジタルラジオ信号が存在するとき、デジタルラジオ信号が取得され、デジタルラジオ信号の質が上側閾値を上回るときデジタルデータ経路がアクティブにされ、アナログデータ経路がイナクティブにされ、デジタルラジオ信号の質が下側閾値を下回るとき、アナログデータ経路がアクティブにされ、デジタルデータ経路がイナクティブにされる。
【図面の簡単な説明】
【００１５】
【図１】図１は、２チューナーのデジタル及びアナログラジオアーキテクチャの一実施例のブロック図である。
【００１６】
【図２】図２は、２チューナーのＨＤ及びダイバーシティＦＭラジオアーキテクチャの一実施例のブロック図である。
【００１７】
【図３】図３は、２チューナーのＨＤ及びダイバーシティＦＭラジオアーキテクチャにおける演算効率を高めるための方法の一実施例を説明するフローチャートである。
【００１８】
【図４】図４は、単一チューナーのＨＤ及びＦＭラジオアーキテクチャの一実施例のブロック図である。
【００１９】
【図５】図５は、単一チューナーのＨＤ及びＦＭラジオアーキテクチャにおける演算効率を高めるための方法の一実施例を説明するフローチャートである。
【００２０】
【図６】図６は、２チューナーのＤＡＢ及びＦＭラジオアーキテクチャの一実施例のブロック図である。
【００２１】
【図７】図７は、２チューナーのＤＡＢ及びＦＭラジオアーキテクチャにおける演算効率を高めるための方法の一実施例を説明するフローチャートである。
【００２２】
【図８】図８は、少なくとも１つのチューナーを備えたデジタル及びアナログラジオアーキテクチャにおける演算効率を高めるための方法の一実施例を説明するフローチャートである。
【発明を実施するための形態】
【００２３】
図面及び説明は、概して、デジタル及びアナログラジオ信号を同時に受け取るラジオにおける演算効率を高めるための方法及びシステムを開示する。一実施例において、少なくとも１つのチューナーがアナログ周波数にチューニングされる。少なくとも１つのチューナーがアナログ周波数にチューニングされた後、アナログデータ経路がアクティブにされる。次に、この方法は、デジタルラジオ信号が存在するかを判定する。デジタルラジオ信号が存在するとき、デジタルラジオ信号が取得される。デジタルラジオ信号が取得された後、デジタルラジオ信号の質が所定の上側閾値を上回るときデジタルデータ経路がアクティブにされる。アナログデータ経路は、デジタルラジオ信号の質が所定の上側閾値を上回るときイナクティブにされる。
【００２４】
デジタルラジオ信号の質は、それが所定の上側閾値を上回ったままであることを確実にするためモニタニングされる。デジタルラジオ信号の質が所定の下側閾値を下回って下がるとき、デジタルデータ経路がイナクティブにされ、アナログデータ経路がアクティブにされる。デジタルデータ経路のみ又はアナログデータ経路のみをアクティブにすることでシステムの演算効率が高められる。また、デジタルデータ経路のみ又はアナログデータ経路のみをアクティブにすることで、両方のデータ経路が同時に動作された場合に用いられるものよりも、用いられる電力量が低減される。
【００２５】
図１は、２チューナーのデジタル及びアナログラジオアーキテクチャの一実施例のブロック図である。図１は、２つのチューナー１８０及び１８２を示す。各チューナーが、アンテナ１０４及び１０６、局部発振器１１９及び１２０、ダウンコンバータ１０８及び１１０、フィルタ１１２及び１１４、及びアナログ・デジタルコンバータ（ＡＤＣ）１１６及び１１８を含む。フィルタはアンチエイリアス及びイメージ除去に用いられる。チャネル選択は、ＡＤＣ後、デジタル的に成され得る。
【００２６】
図１は、プログラマブルＤＳＰ（デジタルシグナルプロセッサ）１０２を更に示す。この例では、プログラマブルＤＳＰ１０２は単一の集積回路上に含まれる。しかし、一つ以上の集積回路がプログラマブルＤＳＰを含むために用いられてもよい。この例では、デバイスＩＤ（識別）１２９が、セキュリティ、認証などを提供する。この例ではデジタルデータ経路が、取得回路１２５、デジタル復調器１２６、及びデジタルデコーダ１２７を含む。デジタルデコーダ１２７は、適切な符号化フォーマット（例えば、ＭＰＥＧ１、レイヤ２、ＡＡＣ、ＡＣＣ−ＨＦなど）をデコードする。この例ではアナログデータ経路が、ダイバーシティ回路１２２、アナログ復調器１２３、及びＲＤＳ復調器／デコーダー１２４を含む。この例では、走査／ダイバーシティ制御回路１２１はアナログ経路の一部でもあり得る。ラジオ規格エミュレータ１２８がアナログデータ経路及びデジタルデータ経路両方において用いられる。
【００２７】
ストレージ１３０、１３２、及び入力及び出力デバイス１３４、１３６、１３８などの外部デバイスが、プログラマブルＤＳＰ１０２に関連して用いられ得る。例えば、ＳＤＲＡＭ（同期ダイナミックランダムアクセスメモリ）１３０が、符号化デジタルオーディオをストアするために用いられ得る。他の任意のストレージ１３２は、コンパクトフラッシュメモリ、ディスクドライブなどを含む。出力デバイス１３４は、スピーカー及びＬＣＤ（液晶ディスプレイ）を含む。入力デバイス１３６は、音声入力デバイス、キーパッド、スクリーン、スマートカード、コンパクトフラッシュカード、ブルートゥースリンクなどを含む。任意選択のリターン経路が、プログラマブルＤＳＰと接続される携帯電話を含み得る。
【００２８】
図８は、少なくとも１つのチューナーを備えたデジタル及びアナログラジオアーキテクチャにおける演算効率を高めるための方法の一実施例を説明するフローチャートである。この実施例において、ステップ８０２の間、少なくとも１つのチューナーがアナログ周波数にチューニングされる。ステップ８０４の間、アナログデータ経路がアクティブにされる。アナログ経路は、例えば、図１に示すように、ダイバーシティ回路１２２、アナログ復調器１２３、及びＲＤＳ復調器／デコーダー１２４を含み得る。次に、ステップ８０６の間、この方法は、デジタルラジオ信号が存在するかを判定する。デジタルラジオ信号が存在しない場合、アナログデータ経路はアクティブのままであり、アナログＦＭ又はＡＭチャネルを例えばスピーカー１３４に出力させる。しかし、デジタルラジオ信号が存在するとき、この方法は、ステップ８０８に示すようにデジタルラジオ信号を取得する。
【００２９】
デジタルラジオ信号が取得された後、デジタルラジオ信号の質が上側閾値を上回るかが判定される（ステップ８１０）。デジタルラジオ信号の質は幾つかの方式で判定され得る。例えば、ＢＥＲ（ビット誤り率）及びオーディオコーデック（コーダー／デコーダー）から報告されるエラーが、上側及び下側閾値を判定するために用いられ得る。ＨＤ放送の場合、デジタルオーディオ品質インジケータがＨＤデコーダーにおいて計算される。このインジケータは、０〜１５の範囲を有し、上側及び下側閾値を判定するために用いられ得る。デジタル信号品質レベルは比Ｃｄ／Ｎｏを用いても測定され得、ここで、Ｃｄはデジタルキャリアの電力であり、Ｎｏはノイズレベルである。デジタルラジオ信号の質をどのように測定するかのこれらの例は包括的であることを意味せず、他の方法も用いられ得ることが予期される。
【００３０】
デジタルラジオ信号の質が上側閾値を上回るとき、デジタルデータ経路がアクティブにされる（ステップ８１２）。一実施例において、デジタルデータ経路は、取得回路１２５、デジタル復調器１２６、及びデジタルデコーダ１２７を含む。ステップ８１４の間、アナログデータ経路がイナクティブにされる。ステップ８１６に示すように、デジタルラジオ品質がモニタニングされる。デジタルラジオ信号の質が下側閾値を下回って下がる（ステップ８１８）とき、アナログデータ経路がアクティブにされ（ステップ８２０）、デジタルデータ経路がイナクティブにされる（ステップ８２２）。デジタルデータ経路がイナクティブにされた後、この方法は、デジタルラジオ信号が存在するかを判定するため、ステップ８０６に戻る。デジタルラジオ信号品質が下側閾値を下回って下がらないとき、この方法はステップ８１６に戻り、デジタル信号品質がモニタリングされ続ける。
【００３１】
図２は、２チューナーのＨＤ及びダイバーシティＦＭラジオアーキテクチャの一実施例のブロック図である。図２は、２つのチューナー２８０及び２８２を示す。各チューナーが、アンテナ２０４及び２０６、局部発振器２１９及び２２０、ダウンコンバータ２０８及び２１０、フィルタ２１２及び２１４、及びアナログ・デジタルコンバータ（ＡＤＣ）２１６及び２１８を含む。フィルタはアンチエイリアス及びイメージ除去に用いられる。広帯域システムにおいて、チャネル選択は、ＡＤＣ後、デジタル的に成され得る。
【００３２】
図２に示す実施例は、プログラマブルＤＳＰ（デジタルシグナルプロセッサ）２０２を更に示す。この例では、プログラマブルＤＳＰ２０２は単一の集積回路上に含まれる。しかし、一つ以上の集積回路がプログラマブルＤＳＰを含むために用いられてもよい。この例では、デバイスＩＤ（識別）２２９が、セキュリティ、認証などを提供する。この例ではデジタルデータ経路が、取得回路２２５、ＨＤ復調器２２６、及びデジタルデコーダ２２７を含む。デジタルデコーダ２２７は、適切な符号化フォーマット（例えば、ＭＰＥＧ１、レイヤ２、ＡＡＣ、ＡＣＣ−ＨＦなど）をデコードする。この例ではアナログデータ経路が、ダイバーシティ回路２２２、アナログ復調器２２３、及びＲＤＳ復調器／デコーダー２２４を含む。この実施例において、ＦＭダイバーシティチューナー制御２２１は、アナログ経路の一部でもあり得る。ラジオ規格エミュレータ２２８はアナログデータ経路及びデジタルデータ経路の両方において用いられる。
【００３３】
ストレージ２３０及び２３２、入力及び出力デバイス２３４、２３６、２３８などの外部デバイスが、プログラマブルＤＳＰ２０２に関連して用いられ得る。例えば、ＳＤＲＡＭ（同期ダイナミックランダムアクセスメモリ）２３０が符号化デジタルオーディオをストアするために用いられ得る。他の任意のストレージ２３２は、コンパクトフラッシュメモリ、ディスクドライブなどを含む。出力デバイス２３４は、スピーカー及びＬＣＤ（液晶ディスプレイ）を含む。入力デバイス２３６は、音声、キーパッド、スクリーン、スマートカード、コンパクトフラッシュカード、ブルートゥースリンクなどを含む。任意選択のリターン経路が、プログラマブルＤＳＰ２０２と接続される携帯電話を含み得る。
【００３４】
図３は、２チューナーのＨＤ及びダイバーシティＦＭラジオアーキテクチャにおける演算効率を高めるための方法の一実施例を説明するフローチャートである。この実施例において、ステップ３０２の間、一次２８０及び二次２８２チューナーが、ＡＭ又はＦＭ周波数にチューニングされる。ステップ３０４の間、アナログデータ経路がアクティブにされ、アナログオーディオが出力される。例えば、アナログデータ経路は、図２に示すように、ダイバーシティ回路２２２、アナログ復調器２２３及びＲＤＳ復調器／デコーダー２２４を含み得る。アナログオーディオは、例えば、スピーカーに出力され得る。次に、ステップ３０６の間、この方法は、デジタルラジオ信号が存在するかを判定する。デジタルラジオ信号が存在しない場合、アナログデータ経路はアクティブのままであり、アナログＦＭ又はＡＭチャネルが例えば、スピーカー２３４に出力され得る。しかし、デジタルラジオ信号が存在するとき、この方法は、ステップ３０８に示すようにデジタルラジオ信号を取得する。
【００３５】
デジタルラジオ信号が取得された後、デジタルラジオ信号の質が上側閾値を上回るかが判定される（ステップ３１０）。デジタルラジオ信号の質が上側閾値を上回るとき、デジタルデータ経路がアクティブにされる（ステップ３１２）。一実施例において、デジタルデータ経路は、取得回路２２５、ＨＤ復調器２２６、及びデジタルデコーダ２２７を含む。また、デジタルラジオ信号の質が上側閾値を上回るとき、アナログデータ経路がイナクティブにされる。この例では、アナログデータ経路は、ＦＭダイバーシティチューナー制御２２１、ダイバーシティ回路２２２、及びＲＤＳ復調器／デコーダー２２４を含む。デジタルラジオ信号の質が上側閾値を上回らないとき、この方法はステップ３０８に戻る。
【００３６】
ステップ３１４の間、デジタルオーディオ及びデータが出力される。例えば、デジタルオーディオはスピーカーに出力され得、デジタルデータはＬＣＤに出力され得る。ステップ３１６に示すように、デジタルラジオ品質がモニタニングされる。デジタルラジオ信号の質が下側閾値を下回って下がる（ステップ３１８）とき、アナログデータ経路がアクティブにされ（ステップ３２０）、デジタルデータ経路がイナクティブにされる（ステップ３２０）。この例では、アナログ経路は、ＦＭダイバーシティチューナー制御２２１、ダイバーシティ回路２２２、アナログ復調器２２３、及びＲＤＳ復調器／デコーダー２２４を含む。デジタルデータ経路がイナクティブにされた後、この方法はステップ３２０に戻り、デジタルラジオ信号が存在するかを判定する。
【００３７】
デジタルラジオ信号品質が下側閾値を下回って下がらないとき、この方法はステップ３１６に戻り、デジタル信号品質がモニタリングされ続ける。
【００３８】
図４は、単一チューナーのＨＤ及びＦＭラジオアーキテクチャの一実施例のブロック図である。図４は単一のチューナー４８０を示す。チューナー４８０は、アンテナ４０４、局部発振器４１９、ダウンコンバータ４０８、フィルタ４１２、及びアナログ・デジタルコンバータ（ＡＤＣ）４１６を含む。フィルタ４１２は、アンチエイリアス及びイメージ除去に用いられる。チャネル選択はＡＤＣ後、デジタル的に成され得る。
【００３９】
図４に示す実施例は、プログラマブルＤＳＰ４０２を更に示す。この例では、プログラマブルＤＳＰ４０２は単一の集積回路上に含まれる。しかし、一つ以上の集積回路がプログラマブルＤＳＰを含むために用いられてもよい。この例ではデジタルデータ経路が、取得回路４２５、ＨＤ復調器４２６、及びデジタルデコーダ４２７を含む。デジタルデコーダ４２７は、適切な符号化フォーマット（例えば、ＭＰＥＧ１、レイヤ２、ＡＡＣ、ＡＣＣ−ＨＦなど）をデコードする。この例ではアナログデータ経路が、アナログ復調器４２３及びＲＤＳ復調器／デコーダー４２４を含む。ラジオ規格エミュレータ４２８がアナログデータ経路及びデジタルデータ経路両方において用いられる。
【００４０】
ストレージ４３０及び４３２、入力及び出力デバイス４３４、４３６、４３８などの外部デバイスが、プログラマブルＤＳＰ４０２に関連して用いられ得る。例えば、ＳＤＲＡＭ（同期ダイナミックランダムアクセスメモリ）４３０が、符号化デジタルオーディオをストアするために用いられ得る。他の任意のストレージ４３２は、コンパクトフラッシュメモリ、ディスクドライブなどを含む。出力デバイス４３４は、スピーカー及びＬＣＤ（液晶ディスプレイ）を含む。入力デバイス４３６は、音声、キーパッド、スクリーン、スマートカード、コンパクトフラッシュカード、ブルートゥースリンクなどを含む。任意選択のリターン経路が、プログラマブルＤＳＰ４０２と接続される携帯電話を含み得る。
【００４１】
図５は、単一チューナーの、ＨＤ、ＦＭラジオアーキテクチャにおける演算効率を高めるための方法の一実施例を説明するフローチャートである。この実施例において、ステップ５０２の間、一次４８０チューナーがＡＭ又はＦＭ周波数にチューニングされる。次に、ステップ５０４の間、アナログデータ経路がアクティブにされ、アナログオーディオが、例えば、スピーカーに出力される。ステップ５０６の間、この方法は、デジタルラジオ信号が存在するかを判定する。デジタルラジオ信号が存在しない場合、チューナーはＡＭ又はＦＭ周波数にチューニングされたままとなり、アナログデータ経路はアクティブのままである。しかし、デジタルラジオ信号が存在するとき、この方法は、ステップ５０８に示すようにデジタルラジオ信号を取得する。
【００４２】
デジタルラジオ信号が取得された（５０８）後、デジタルラジオ信号の質が上側閾値を上回るかが判定される（ステップ５１０）。デジタルラジオ信号の質が上側閾値を上回るとき、デジタルデータ経路がアクティブにされる（ステップ５１２）。デジタルデータ経路へのデジタルデータ入力は、リアルタイムデータ又はストアされたデータであり得る。一実施例において、デジタルデータ経路は、取得回路４２５、ＨＤ復調器４２６、及びデジタルデコーダ４２７を含む。また、デジタルラジオ信号の質が上側閾値を上回るとき、アナログデータがイナクティブにされる。この例では、アナログデータ経路は、アナログ復調器４２３及びＲＤＳ復調器／デコーダー４２４を含む。デジタルラジオ信号の質が上側閾値を上回らないとき、この方法はステップ５０６に戻る。
【００４３】
ステップ５１４の間、デジタルオーディオ及びデータが出力される。例えば、デジタルオーディオはスピーカーに出力され得、デジタルデータはＬＣＤに出力され得る。ステップ５１６に示すように、デジタルラジオ信号品質がモニタニングされる。デジタルラジオ信号の質が下側閾値を下回って下がる（ステップ５１８）とき、アナログデータ経路がアクティブにされ、デジタルデータ経路がイナクティブにされる（ステップ５２０）。デジタルオーディオは、デジタルデータ経路からアナログデータ経路への遷移の間予めストアされた符号化データから再生され得る。この例では、アナログ経路は、アナログ復調器４２３、及びＲＤＳ復調器／デコーダー４２４を含む。デジタルデータ経路がイナクティブにされた後、この方法はステップ５０６に戻り、デジタルラジオ信号が存在するかを判定する。
【００４４】
ステップ５２２の間、アナログデータ経路はオーディオ及びＲＤＳ出力を可能にする。デジタルラジオ信号品質が下側閾値を下回って下がらないとき、この方法はステップ５１６に戻り、デジタル信号品質がモニタリングされ続ける。
【００４５】
図６は、２チューナーのＤＡＢ及びＦＭラジオアーキテクチャの一実施例のブロックである。図６は、２つのチューナー６８０及び６８２を示す。各チューナーが、アンテナ６０４及び６０６、局部発振器６１９及び６２０、ダウンコンバータ６０８及び６１０、フィルタ６１２及び６１４、アナログ・デジタルコンバータ（ＡＤＣ）６１６及び６１８を含む。フィルタ６１６及び６１８は、アンチエイリアス及びイメージ除去に用いられる。チャネル選択はＡＤＣ後デジタル的に成され得る。
【００４６】
図６に示す実施例は、プログラマブルＤＳＰ６０２を更に示す。この例では、プログラマブルＤＳＰ６０２は単一の集積回路上に含まれる。しかし、一つ以上の集積回路がプログラマブルＤＳＰを含むために用いられてもよい。この例では、デバイスＩＤ（識別）回路６２９が、セキュリティ、認証などを提供する。この例ではデジタルデータ経路が、取得回路６２５、ＤＡＢ復調器６２６、及びデジタルデコーダ６２７を含む。デジタルデコーダ６２７は、適切な符号化フォーマット（例えば、ＭＰＥＧ１、レイヤ２、ＡＡＣ、ＡＣＣ−ＨＦなど）をデコードする。この例ではアナログデータ経路が、アナログ復調器６２３、及びＲＤＳ復調器／デコーダー６２４を含む。ラジオ規格エミュレータ６２８は、アナログデータ経路及びデジタルデータ経路両方において用いられる。
【００４７】
ストレージ６３０及び６３２、入力及び出力デバイス６３４、６３６、６３８などの外部デバイスが、プログラマブルＤＳＰ６０２に関連して用いられ得る。例えば、ＳＤＲＡＭ（同期ダイナミックランダムアクセスメモリ）６３０が、符号化デジタルオーディオをストアするために用いられ得る。他の任意のストレージ６３２は、コンパクトフラッシュメモリ、ディスクドライブなどを含む。出力デバイス６３４は、スピーカー及びＬＣＤ（液晶ディスプレイ）を含む。入力デバイス６３６は、音声、キーパッド、スクリーン、スマートカード、コンパクトフラッシュカード、ブルートゥースリンクなどを含む。任意選択のリターン経路が、携帯電話と接続されるプログラマブルＤＳＰ６０２を含み得る。
【００４８】
図７は、２チューナーのＤＡＢ及びＦＭラジオアーキテクチャにおいて演算効率を高めるための方法の一実施例を説明するフローチャートである。この実施例において、ステップ７０２の間、一次チューナー７８０がＦＭ又はＡＭ周波数にチューニングされ、二次７８２チューナーがＤＡＢ周波数にチューニングされる。次に、ステップ７０４の間、アナログデータ経路がアクティブにされ、アナログオーディオが出力される。次に、ステップ７０６の間、この方法は、デジタルラジオ信号が存在するかを判定する。デジタルラジオ信号が存在しない場合ＦＭ又はＡＭ周波数が放送され続ける。しかし、デジタルラジオ信号が存在するとき、この方法は、ステップ７０８に示すようにデジタルラジオ信号を取得する。
【００４９】
デジタルラジオ信号が取得された後、デジタルラジオ信号の質が上側閾値を上回るかが判定される（ステップ７１０）。デジタルラジオ信号の質が上側閾値を上回るとき、デジタルデータ経路がアクティブにされる（ステップ７１２）。一実施例において、デジタルデータ経路は、取得回路６２５、ＤＡＢ復調器６２６、及びデジタルデコーダ６２７を含む。デジタルデータは、リアルタイムデジタルデータ又はストアされたデジタルデータであり得る。また、デジタルラジオ信号の質が上側閾値を上回るとき、アナログデータ経路がイナクティブにされる。この例では、アナログデータ経路は、アナログ復調器６２３、及びＲＤＳ復調器／デコーダー６２４を含む。デジタルラジオ信号の質が上側閾値を上回らないとき、この方法はステップ７０８に戻る。
【００５０】
ステップ７１４の間、デジタルオーディオ及びデータが出力される。例えば、デジタルオーディオはスピーカーに出力され得、デジタルデータはＬＣＤに出力され得る。ステップ７１６に示すように、デジタルラジオ品質がモニタニングされる。デジタルラジオ信号の質が下側閾値を下回って下がる（ステップ７１８）とき、アナログデータ経路がアクティブにされ（ステップ７２０）、デジタルデータ経路がイナクティブにされる（ステップ７２０）。デジタルオーディオは、デジタルデータ経路からアナログデータ経路への遷移の間予めストアされた符号化データから再生され得る。この例では、アナログ経路は、アナログ復調器６２３、及びＲＤＳ復調器／デコーダー６２４を含む。デジタルデータ経路がイナクティブにされた後、この方法はステップ７０６に戻りデジタルラジオ信号が存在するかを判定する。
【００５１】
ステップ７２２の間、アナログデータ経路は、オーディオ及びＲＤＳ出力を可能にする。デジタルラジオ信号品質が下側閾値を下回って下がらないとき、この方法はステップ７１６に戻り、デジタル信号品質がモニタリングされ続ける。
【００５２】
当業者であれば、本発明の特許請求の範囲内で、説明した例示の実施例に変形が成され得ること、及び多くの他の実施例が可能であることが分かるであろう。
【図１】
2014523153.tif 000003
【図２】
2014523153.tif 000004
【図３】
2014523153.tif 000005
【図４】
2014523153.tif 000006
【図５】
2014523153.tif 000007
【図６】
2014523153.tif 000008
【図７】
2014523153.tif 000009
【図８】
2014523153.tif 000010
【国際調査報告】
2014523153.tif 000011
2014523153.tif 000012